(57)【要約】本発明の低電圧配電回路は、複数本のワイヤまたはバスバー・システムのいずれかを収容する凹部に装着されたレセプタクルを具備するコンセントである。レセプタクルは、少なくとも１個の連続的に通電する電力ソケットと、これに設置された少なくとも１個のスイッチ連動電力ソケットを具備している。各電力ソケットは、器具のプラグを受容することができる。レセプタクルは、凹部に沿って別の場所へ移動可能であるため、例えばランプまたはコンピュータのような機器を、壁に沿った多数の異なる地点に配置することができる。別形態の配電回路では、スタンドアロン型ユニットを適所に固定することもできる。
2005522007.tif 000002
【特許請求の範囲】
【請求項１】
スイッチ連動電源およびスイッチ非連動電源から、スイッチ連動電力およびスイッチ非連動電力を供給する低電圧配電回路であって、
凹部を画定するモールディングを備え、
第１コンダクタ、第２コンダクタおよび第３コンダクタをさらに備え、第１コンダクタが、使用時に、前記スイッチ非連動電源に接続され、第２コンダクタが、使用時に、前記スイッチ連動電源に接続され、第３コンダクタが、使用時に、電源の中立点に接続され、前記３つのコンダクタが、負荷装置または電気機器に接続されたプラグのピンを受容できる受容手段を具備して構成され、
前記モールディングに機械的かつ解除可能に係合した少なくとも１個のレセプタクルをさらに備え、前記レセプタクルが、少なくとも１個の連続通電ソケットと１個のスイッチ連動ソケットを具備し、前記ソケットの各々が、前記レセプタクルを通って延びた複数の開口部によって形成されており、前記開口部が、前記コンダクタの対応する受容手段と整合しており、
使用時の、前記プラグを前記連続通電ソケット内に挿入した際に、前記ピンが、前記第１コンダクタおよび第３コンダクタと電気接続を形成するため、電気機器または負荷装置に連続的に電力供給を行うことができ、また、前記プラグを前記スイッチ連動ソケット内に挿入した際に、前記ピンが、前記第２コンダクタおよび第３コンダクタと電気接続を形成するため、前記電気機器または負荷装置にオン−オフ可能に電力供給を行うことができる低電圧配電回路。
【請求項２】
前記開口部のうち少なくとも１個が、使用中に、前記連続通電ソケットおよび前記スイッチ連動ソケットによって共用される、請求項１に記載の低電圧配電回路。
【請求項３】
前記凹部が連続的な細長形状の凹部である、請求項１または２のいずれか１項に記載の低電圧配電回路。
【請求項４】
前記回路が、バスバー・システムをさらに備えており、前記第１、第２、第３コンダクタが、前記バスバー・システムを形成している複数のコンダクタの一部分を形成する、請求項１から３のうちいずれか１項に記載の低電圧配電回路。
【請求項５】
前記回路が、前記凹部内に収容された複数本の電線を備え、前記第１、第２、第３コンダクタが前記複数本の電線の一部分を形成する、請求項１〜３のいずれか１項に記載の低電圧配電回路。
【請求項６】
前記細長形状の凹部が、電気通信回線プラグを収容するためのチャネルを備え、前記レセプタクルが、電気通信回線プラグを受容するソケットを備え、また、前記プラグを、前記チャネル内に収容されている前記電気通信回線に接続する、請求項１〜５のいずれか１項に記載の低電圧配電回路。
【請求項７】
スイッチ連動電源およびスイッチ非連動電源から、スイッチ連動電力およびスイッチ非連動電力を供給するスタンドアロン型レセプタクルであって、
使用時に、前記スイッチ非連動電源に接続される第１コンダクタと、
使用時に、前記スイッチ連動電源に接続される第２コンダクタと、
使用時に、電源の中立点に接続される第３コンダクタとを備え、
前記コンダクタが、負荷装置または電気機器に接続されたプラグのピンを受容可能な受容手段を具備して構成されており、
前記スタンドアロン型レセプタクルが、少なくとも１個の連続通電ソケット、１個のスイッチ連動ソケットを具備しており、前記ソケットの各々が、前記レセプタクルを通って延びた複数の開口部によって形成されており、前記開口部が、前記コンダクタの対応する受容手段と整合しており、
使用時に、前記プラグを前記連続通電ソケット内に挿入した際に、前記ピンが、前記第１コンダクタおよび第３コンダクタと電気接続を形成することで、前記電気機器または負荷装置に連続的に電力供給することができ、また、前記プラグを前記スイッチ連動ソケット内に挿入した際に、前記ピンが、前記第２コンダクタおよび前記第３コンダクタと電気接続を形成するため、前記電気機器または負荷装置にオン−オフ可能に電力供給することができる、スタンドアロン型レセプタクル。
【請求項８】
使用時に、前記開口部のうち少なくとも１個が、前記連続通電ソケットと前記スイッチ連動ソケットによって共用される、請求項７に記載の低電圧配電回路。
【請求項９】
本願明細書中で、添付の図面のいずれか１つを参照して説明したとおりの低電圧配電回路。
【発明の詳細な説明】
【技術分野】
【０００１】
概して、本発明は低電圧配電回路に関する。特に、本発明は、継続的に電力供給される電力ソケットと、スイッチ連動型電力ソケットの両方を具備した、バスバー・システムに沿って再配置可能なレセプタクルに電力供給を行う電力バスバー・システムに関する。
【背景技術】
【０００２】
技術上、多数の電力ソケットを具備したバスバー電力システムの提供が知られている。さらに、電気機器等をバスバーに沿った別の場所、従って部屋の異なる範囲へ移動するために、バスバーに沿って移動可能なコンセントの提供も技術上知られている。
【０００３】
Ｅｌｅｃｔｒａｋ  Ｉｎｔｅｒｎａｔｉｏｎａｌ  Ｌｉｍｉｔｅｄの英国特許ＧＢ２３４４００１は、モジュラー式のマルチバスバー電力トラックシステムを開示しており、この中で、このシステムの各モジュールは、細長いケーシング内に設けた複数の直線形のバスバーを具備している。各モジュール内には少なくとも１個のアクセスソケットが設けられており、このアクセスソケット内にタップオフ・プラグを挿入することで、別の要素を電力トラックシステムと電気接続することができる。このシステムは、アクセスソケットを移動することはできない。
【０００４】
Ｔｈｅ  Ｗｉｒｅｍｏｌｄ  ＣｏｍｐａｎｙのＷＯ９９/２７６１８号は、電気レセプタクルを装着した電力トラックを開示している。このトラックは、電気レセプタクルの接触部に電力供給するバスバー電力システムである。レセプタクルをトラック上で捻ることにより、トラックに沿った任意の地点に、任意数の電気レセプタクルを取り外し可能に固定することができる。開示されたこの電気レセプタクルは、継続的に電力が供給される電力ソケットを提供するが、電力ソケットをオン−オフするための何らの手段も設けられていない。
【発明の開示】
【発明が解決しようとする課題】
【０００５】
本発明の目的は、上述した欠点を解決する配電回路を提供すること、または、少なくとも社会に有用な選択を提供することである。
【課題を解決するための手段】
【０００６】
したがって、第１の態様において、本発明は、スイッチ連動電源およびスイッチ非連動電源から、スイッチ連動電力およびスイッチ非連動電力を供給する低電圧配電回路で構成されていると言うことができ、該低電圧配電回路は、
凹部を画定するモールディングを備え、
第１コンダクタ、第２コンダクタおよび第３コンダクタをさらに備え、第１コンダクタが、使用時に、前記スイッチ非連動電源と接続され、第２コンダクタが、使用時に、前記スイッチ連動電源に接続され、第３コンダクタが、使用時に、電源の中立点に接続され、前記３つのコンダクタが、負荷装置または電気機器に接続したプラグのピンを受容できる受容手段を具備して構成され、
前記モールディングに機械的かつ解除可能に係合した少なくとも１個のレセプタクルをさらに備え、前記レセプタクルが、少なくとも１個の連続通電ソケットと１個のスイッチ連動ソケットを具備し、前記ソケットの各々が、前記レセプタクルを通って延びた複数の開口部によって形成されており、前記開口部が、前記コンダクタの対応する受容手段と整合しており、
使用時の、前記プラグを前記連続通電ソケット内に挿入した際に、前記ピンが、前記第１コンダクタおよび第３コンダクタと電気接続を形成するため、電気機器または負荷装置に連続的に電力供給を行うことができ、また、前記プラグを前記スイッチ連動ソケット内に挿入した際に、前記ピンが、前記第２コンダクタおよび第３コンダクタと電気接続を形成するため、前記電気機器または負荷装置にオン−オフ可能に電力供給を行うことができる。
【０００７】
第２の形態において、本発明は、スイッチ連動電源およびスイッチ非連動電源から、スイッチ連動電力およびスイッチ非連動電力を供給するスタンドアロン型レセプタクルで構成されていると言うことができ、該スタンドアロン型レセプタクルは、
使用時に、前記スイッチ非連動電源と接続する第１コンダクタと、
使用時に、前記スイッチ連動電源と接続する第２コンダクタと、
使用時に、電源の中立点に接続する第３コンダクタとを備え、
前記コンダクタが、負荷装置または電気機器に接続したプラグのピンを受容可能な受容手段を具備して構成されており、
前記スタンドアロン型レセプタクルが、少なくとも１個の連続通電ソケット、１個のスイッチ連動ソケットを具備しており、前記ソケットの各々が、前記レセプタクルを通って延びた複数の開口部によって形成されており、前記開口部が、前記コンダクタの対応する受容手段と整合しており、
使用時に、前記プラグを前記連続通電ソケット内に挿入した際に、前記ピンが、前記第１コンダクタおよび第３コンダクタと電気接続を形成することで、前記電気機器または負荷装置に連続的に電力供給することができ、また、前記プラグを前記スイッチ連動ソケット内に挿入した際に、前記ピンが、前記第２コンダクタおよび前記第３コンダクタと電気接続を形成するため、前記電気機器または負荷装置にオン−オフ可能に電力供給することができる。
【０００８】
本発明が関連する技術の当業者は、特許請求項に定義されている本発明の範囲から逸脱することなく、本発明の構造における多くの変更、また、本発明の幅広く異なる実施形態および用途を考案できるだろう。本願明細書中の開示および説明は、純粋に例証のためのものであり、制限を意図したものでは決してない。
【０００９】
次に、添付の図面を参照しながら、本発明の好ましい形態を説明する。
【発明を実施するための最良の形態】
【００１０】
本発明の低電圧配電回路は、バスバー・システムに装着されたレセプタクルを具備するコンセントである。バスバー・システムは、壁の基部に沿って水平に延びているハウジング内部、または他の場所に装着されていることが好ましい。レセプタクルは、少なくとも１個の継続的に電力が供給される電力ソケットと、これに設置した少なくとも１個のスイッチ連動電力ソケットとを備えている。各電力ソケットは、電気機器のプラグを受容できる。レセプタクルは、バスバーに沿った異なる場所へ移動可能であるため、ランプまたはコンピュータのような電気機器を壁に沿った異なる多数の地点に配置することができるようになる。
【００１１】
別の形態においては、配電回路は、ハウジングに沿って延びた１組のワイヤと、これらのワイヤと接触する端末を備えたレセプタクルとであってよい。さらに別の配電回路の形態では、適所に設置したスタンドアロン型ユニットが提供される。
【００１２】
図１に、本発明のコンセント装置の好ましい形態を示す。バスバー・ハウジング２は、壁の基部上に装着され壁の基部に沿って延びているかまたはこれ以外の任意の望ましい場所に装着されている。ハウジング２は、ハウジング２の全長内部にかけて延びた凹部３を備えている。凹部３内部には、多数のバスバー４、５、６、８、９が配置されている。本発明の好ましい形態では、バスバーは、３個の導電性接触片４、５、６と、凹部３に沿って延びた２個の接地片８、９とで構成されている。バスバー絶縁体７は、バスバー４、５、６を封入している。さらに、バスバー絶縁体７は、接地バスバー８、９を装着または配置するためのチャネルを提供する。バスバー絶縁体は、絶縁性および難燃性のプラスチック・タイプの材料から成るが、しかし、これ以外の適切な材料を使用することも可能である。該好ましい実施形態では、上方接触片４は連続的に電流が通じた（“電力が供給された”）バスバーであり、中央接触片５は中立バスバーであり、下方接触片６はスイッチ連動バス（スイッチの操作によって電力を供給することができるバス）である。中立バスバー５の上下には、接地バスまたは接地片８、９が配置されている
【００１３】
レセプタクルがハウジング２と、バスバーの上とに装着されている。このレセプタクルは、表面プレート１０および裏面プレート１１で構成されている。裏面プレート１１がハウジング２に貼り付けられ、表面プレート１０が裏面プレート１１の上に固定されている。
【００１４】
図６を参照すると、電気機器のプラグピンの形をした中空の突起部２６が裏面プレート１１の底部から突出している。表面プレート１０を裏面プレート１１に装着する際に、突起部２６が、これと相補的に成形された表面プレート１０の開口部１２、１３内に嵌着するが、表面プレートから突出することはない。表面プレート１０と裏面プレート１１が互いに貼り付けられると、開口部１２、１３、突起部２６が、表面プレート１０と裏面プレート１１を貫通してチャネルを形成する。これらのチャネルの組が、少なくとも１個の標準的な２ピンまたは３ピンの電気機器プラグ１５、１６を収容することが可能な少なくとも１個のソケットを形成する。チャネルがバスバーへと延びているため、プラグのピンが、ソケットに挿入された際に、バスバーとプラグピンの間に電気接触を形成するバスバーと接触する。
【００１５】
次に図２を参照すると、特に、バスバー・システム２５を詳細に示している。上述したように、バスバー・システムは、２個の通電されたバス、中立バス、２個の接地バスを具備している。上方の通電されたバス４は、電流制限装置１８を介して、ＡＣ電源と接続した、端末または建物内のヒューズボックスへ延びた標準的な配線と接続している。いくつかの形態における通電されたバス４の電圧は２３０ボルトであるが、しかし、米国（ＵＳ）電力システムで使用されているような別の形態では、通電されたバスの電圧は１２０ボルト、あるいはこれ以外の適当な電圧数値であってよい。電流制限装置１８は回路ブレーカ、サージ保護装置、ヒューズ、接地事故回路遮断器であってよい。中央バス（２個の通電されたバスの間に配置されている）は中立バス５である。中立バスは、さらに、建物の標準的な配線、端末またはヒューズボックス（配電システムに最終的に接続している端末またはヒューズボックス）に接続されている。下方の通電されたバスは、スイッチ連動バス６であり、電流制限装置１８を介して、配線、さらにスイッチ１７の１側部と接続している。スイッチ１７は、建物の壁内に周知の方法で配置した標準的なスイッチまたはディマースイッチである。スイッチ１７のこれ以外の側部は、標準的な配線によって、端末またはヒューズボックス内の「通電した」端末に接続されている。最後に、接地バス８、９は接地端末に接続している。通常、この接地端末は端末またはヒューズボックス内に配置されているが、これ以外の場所に配置してもよい。
【００１６】
次に、図３及び図１０を参照すると、バスバー４、５、６の各々は、間隔を置いて、受容手段を備えて構成されている。受容手段は、各バスバー内に一体形成されたスロット１４である。各スロット１４は、負荷または電気機器と接続したプラグのピンを受容する形状になっている。スロット１４は、バスバーとプラグのピンの間をしっかりと接続するよう形作られている。さらに、スロット１４は、各バスの全長に沿って増分的に離間しており、これにより、バスバー・システムに沿った、裏面プレート１１と表面プレート１０の増分的な再配置が可能になる。バスバー内のスロット１４は、バスバー内のスロットの増分的な穿孔によって、バスバー内に一体に形成されていることが好ましいが、スロットは、他の適切な方法で形成することも可能である。好ましい形態では、バスバーの中央部分４８がバスバーの平面よりも下方へ押下され、トラフを形成し、また、バスバーの側部４９、５０がバスバーの平面よりも上方へ押し上げられて、中央部分の両側に上方に反転した２個のトラフを形成する際に、各スロット１４が形成される。使用時の、プラグがレセプタクル（表面プレート１０と裏面プレート１１）内に挿入され、また、各プラグのピンが、レセプタクルからバスバーに設けた各スロット１４内へと延びる際に、中央部分４８がピンよりも下に延び、側部４９、５０がピンよりも上へ延び、ピン周囲で緊締した嵌着が形成されることでピンとバスバーの間に電気接触が生じる。
【００１７】
本発明のいくつかの形態では、３ピンプラグを使用できる。標準的な電気プラグ１５は図１に示したとおりである。殆どの形態では、このようなプラグは３本のピンを具備しているが、いくつかの形態では、ピンが２本であってもよい。最初の２本のピン１９、２１は、プラグ１５から平行軸に沿って延びた平坦ピンである。第３のピン２０の形状は、円形、または先の２本のピンと類似の形状であってよいが、しかし、通常、この第３のピン２０は、先の２本のピン１９、２１と平行でしかもこれらの間の軸に沿って、プラグから延びている。
【００１８】
図１に示した米国タイプの３ピンプラグの形態を参照すると、使用時の、プラグがレセプタクルに形成したソケット内に挿入される際に、第１ピン１９が中立バス５に接続され、第２ピン２１が、常時通電されたバスバー４または切り替えバスバー６のいずれかに接続される。第３ピン２０が、図３中の接地スロット２２の方法によって、接地バスバー８、９のうち一方に接続される。接地バスバーには、増分的に離間した接地スロット２２が形成されている。接地スロット２２は他のバスバーのスロットと類似しているが、しかし、本発明のこの形態では、接地スロット２２は標準的な米国タイプのプラグの第３ピン２０を受容するように成形されている。別の形態では、本発明は接地スロット２２とスロット１４は同一形態であってよい。
【００１９】
再度図６を参照すると、裏面プレート１１に設けた突起部２６と、表面プレート１０に設けた開口部１２、１３とが、一方はスイッチ連動ソケット、他方は連続通電ソケットである少なくとも２個のソケットを形成する。しかしながら、表面プレート１０に、２個よりも多い数のソケットを形成することができ、例えば、図１中では、表面プレートは４個のソケットを備えているが、しかし、同ソケットに一度に受容できるプラグの数は２個のみである。
【００２０】
図１０は、バスバー４、５、６、８、９と、２個のプラグ１５、１６を示している。プラグ１５は、バスバー内の、プラグに装着された機器の「オン−オフ」を行う位置にある。使用者がスイッチ１７を操作すると（図２に概略的に示すとおり）、機器をオン、オフ状態に切り換えることができる。「スイッチ連動ソケット」内にプラグを挿入すると、第１ピン１９が中央バス５に設けたスロット内に位置する。第２ピン２１（図１０中には示していないが、ピン１９の下に配置されている）は、スイッチバス６の開口部内に位置する。接地ピン２０は、下方接地バス９のスロット内に位置する。プラグ１６は、バスバー内に位置し、プラグに装着された機器に連続的に電力供給または通電する。プラグが「通電されたソケット」内に挿入されると、第１（上方）ピン２３が通電されたバス４の開口部内に位置する。第２（下方）ピン２４は、中立バス５のスロット１４内に位置し、接地ピン（同図中には示していない）は、上方接地バス８のスロット２２内に位置する。
【００２１】
次に、図４〜図６を参照しながら、本発明の回路の構造について説明する。既に説明したように、バスバー・システム２５（バスバー絶縁体７、バスバー４、５、６、８、９から成る）は、建物内の壁上に配置されたハウジング２内に位置している。図５は、バスバー絶縁体７の端面図を示す。バスバー絶縁体は、通電されたバス、中立バス、スイッチ連動バスを包囲する３個の中空チャネル４３を具備する。これらのチャネルの１側部には連続したオープン・スロット４４が設けられているため、電気プラグピンがバスバーの開口部を貫通して突出することができる。図５Ａは、バスバー７の斜視図であり、接地バススロット２２のための増分的に離間した開口部４５を示している（図３を参照して先述したとおり）。図６に示すように、裏面プレート１１は、適切な手段によって、ハウジング２の上方面２８と下方面２９に装着されている。本発明の好ましい形態では、裏面プレート１１は、裏面プレート１１の裏面に設けたボス（図示せず）によって側方に割り出しされている。このボスは、離間した穴４６を通って接地バス８、９内に増分的に突出し、次に、裏面プレート位置決め穴４７（図５Ａ）を通る。その後、ねじ２７を使用して、裏面プレート１１がハウジング２にねじ留めされる。図５Ｂは、全てのバスがバスバー絶縁体内に設置された状態にある、完全なバスバー・システム２５を示している。バスバーの残り部分、および、ハウジングの、裏面プレート１１によって被覆されていない部分とが、プラスチック・タイプ材料で形成されたカバー３０によって被覆され（図６、図７）、適当な長さに切断される。
【００２２】
図６では、表面プレート１０は、裏面プレート縁に設けた相補的な突起部３１とロックする多数の切欠部３２を備えた状態で図示されている。表面プレートが裏面プレートの上にスナップ係合すると、表面プレート１０の穴１２、１３が裏面プレートの相補的な突起部２６と整列するため、プラグ１５、１６（図１を参照）がこれらのソケット内に挿入されると、ピンが表面プレート、裏面プレート、バスバー絶縁体７のオープン・スロット４４を貫通し、然る後にバスバー内のスロット内に入る。
【００２３】
図４、図４Ａ、図４Ｂは回路の側面図を示す。図４Ａは、カバー３０に設けた対応する突起部５２とロックしている、ハウジング２の縁に設けた突起部５１を示す。図４Ｂは、カバー３０の設置および取り外しを示しており、この設置および取り外しは、カバー３０を圧迫して撓ませ、カバー３０上の突起部５２が突起部５１内とハウジング内に嵌着するようにして、バスバー・システムの露出部分を被覆することで行える。カバーをハウジングに装着するこれ以外の手段として、例えば、ハウジング上でカバーを滑動させるというものが考えられる。
【００２４】
レセプタクル（表面プレート１０、裏面プレート１１）を、図７、図７Ａに示すように完全に設置すると、カバー３０と裏面プレート１１の間の間隙が表面プレート１０の端部によって被覆されるため、レセプタクルをハウジングに安全かつ安定した状態で接続することが可能になる。
【００２５】
表面プレート１０をバスバーに沿った異なる位置に移動するためには、表面プレート１０を取り外し（例えば、標準的なマイナスのドライバ、または類似の工具を使用して外す）、ねじを外すことでハウジング２から裏面プレート１１を取り外す必要がある。次に、図４Ｂを参照して説明したとおりにカバー３０を取り外し、裏面プレートを新たな望ましい位置に再配置することができる。裏面プレートは、ねじ２７を使用してハウジング２に再度固定し、その後、適切な長さに切断した配置カバーを再配置して、露出したバスバー・システムとハウジングを被覆する。最後に、表面プレート１０を、再配置した裏面プレート１１上に再設置（スナップ係合）する。
【００２６】
バスバーに沿った適切な場所に多数の裏面プレートを永久的に常駐させることができ、これにより、バスバーに沿った多数の地点において、表面プレートを裏面プレート上に設置することが可能になる。
【００２７】
図８、図９は、本発明によるバスバー・システムの別形態を示す。この形態は、ニュージーランドの電力システムにより適している。この形態では、バスバーとソケット３３、３４がニュージーランド・スタイルのプラグとピンを収容できるように、バスシステム３５を異なる方法で配置する。この形態では、上方バスバー３９は常時通電されたバスバーであり、下方バスバー４０はスイッチ連動バスバーである。中央バスバー３６は中立バスバーであり、中央バスバー３６の上下に配置されたバスバーは接地バス３７、３８である。この形態では、連続通電スロット、スイッチ連動スロット、および中立バスバー４１は、ニュージーランド・スタイルのプラグのピンを収容できるよう、接地バスバーのスロット４２と同一形態のものである。本発明のコンセントのこの形態は、上記と同様に構成され、操作される。
【００２８】
本発明の別形態では、ハウジング２の底部に沿って、例えば電話回線またはインターネット回線（ＣＡＴ５）のような電気通信回線用のチャネルを設けている。電気通信回線は、表面プレートに形成したソケットにおいて終端していることが好ましく、このソケットは、コンピュータまたは電話のような電子機器を差し込むことができるタイプのものである。
【００２９】
既述したように、ハウジングとバスバーは、建物内の壁の長さに沿って延びている。壁の角周辺にバスバーを延長させるために、多数のクリップをバスバー・システム内に設けているが、このクリップは、一方側において矩形の端部を受容し、他方側において、角周辺に延びた標準の屈曲可能な配線に取り付けられて、第２クリップに再び接続する。第２クリップの他方側は、バスバーのさらなる矩形端部と接続し、また、バスバーの長さは第２壁の長さに沿って延びている。バスバーの連続性を角周辺に延長する別の方法は、配線との標準的な半田ジョイントを利用したものである。
【００３０】
表面プレートはバスバーに沿った異なる多数の場所に配置可能であるため、延長コードの必要性が最小化または排除される。これにより、部屋の外観の乱雑性が減少し、延長コードにつまずいたり、損傷する可能性が低減される。さらに、火事、または他の安全の危機が最小化される。従来の壁埋め込み型のコンセントと比較して、本発明のレセプタクルはその位置の変更が非常に容易であり、この位置変更が、最少数の標準工具で非常に迅速に行うことができる（開始から終了までの時間は平均で１０分未満）。さらに、新たなレセプタクルの追加も全く同様の容易さで達成できる。通常、従来のコンセントの位置を変更するためには、コンセント周囲の乾式壁を取り除き、また、新たな場所周囲の乾式壁を取り除き、新たな場所の内部梁または壁の構造にコンセントを固定し、コンセントに接続する電線を延ばし（壁内）、コンセントの以前と新規の場所に  新たな乾式壁またはフィラーを付加する。
【００３１】
コンセントを形成している表面プレートと裏面プレートを、異なる電気機器（または電気プラグ）の任意の所望数のプラグを受容するように構成することができる。異なるタイプのプラグを再設計することで、この装置の基本的な概念を任意の電気システムにワールドワイドに採用することができる。さらに、レセプタクルは、異なるタイプのコネクタ、例えば電話線用コネクタ、ケーブルテレビおよび/またはケーブルモデムのような同軸ワイヤ、ＯＳＬワイヤ、光ファイバ、他を受容するように構成することができる（これにより、これらのコネクタを電源コンセントと全く同様に再配置することが可能になる）。
【００３２】
さらに、本発明のレセプタクルは、スイッチ連動ソケットと連続的に通電されたソケットの両方を使用者に提供することで、使用者は、電気機器および/またはランプのより優れた万能性を得ることが可能になる。
【００３３】
次に、図１１〜図１５を参照しながら、複数本のワイヤ６０、６１、６２、６３が、スイッチ連動、および連続通電された電気ソケットの両方を提供するレセプタクル（６９および７０）と接続した端末６５、６６、６７、６８に電力供給を行う、本発明による回路の別の実施形態について説明する。本発明によるこの形態の回路では、複数本のワイヤ６０、６１、６２、６３を収容するための細長形状の凹部６４が設けられている。特に、図１１に示すように、突き出たハウジングはプラスチック材料から成り、４本のワイヤ、つまり、スイッチ連動ワイヤ６０、即ちスイッチの操作により通電されるワイヤ、中立ワイヤ６１、連続的に（「通電された」）ワイヤ６２、接地ワイヤ６３を収容する。これらのワイヤの各々は、端末または建物内のヒューズボックスと、標準の配線により、またはヒューズボックスに直接配線することで接続している。表面プレート７０、裏面プレート６９、複数本の端末６５、６７、６８を具備したレセプタクルは、図６に関連して上述した同様の方法により、細長形状の凹部（突き出たハウジング）６４に装着することが可能である。
【００３４】
裏面プレート６９の後部には、複数本の端末６５、６６、６７、６８が配置されている。特に、これらの端末は、ハウジング６４内で特定の１本のワイヤと関連している。したがって、接地端末６５、スイッチ連動接触端末６６、中立接触端末６７、連続的に電力供給された（「通電された」）接触端末６８が存在する。これらの端末の各々は、電気機器に結合している電気プラグ７３のプラグ７７、７８、７９を受容可能な受容手段またはスロット７４、７５を具備している。一例として、スイッチ連動端末６６、中立端末６７、通電端末６８におけるスロットが、プラグ７３に設けた２本の細いピン７７、７８（図１に関連して説明したピン１９、２１と類似）のうち一方を受容する。接地端末６５は、プラグ７３のより太いピン７９を受容可能なスロット７５を備えている。各端末は、裏面プレート６９に固定され、また、レセプタクルをハウジング６４に固定した際に、各端末の一部分が関連するワイヤと接するように配置される。
【００３５】
表面プレート７０は開口部７２を備え、裏面プレート６９はこれと相補的な、レセプタクルを貫通したチャネルを形成する突起部７６を備えるため、少なくとも１個のスイッチ連動ソケットと１個の連続的に通電されたソケットがレセプタクルに差し込まれる。上述した実施形態と同様に、スイッチ連動ソケットはスイッチによって操作することができ、通電スイッチは連続的に通電することができる。電気機器プラグ７３は、各チャネルに嵌着可能なピン７７、７８、７９を具備しているため、ソケット内に嵌着した際に、ピンが前進して、端末６５、６６、６７、６８と接触する。この方法を用いれば、プラグ７３を、レセプタクル上の２個のソケットうち一方内に差し込むことができ、各ピンが、図１０に関連して上述した方法と同じ方法で特定の端末と接続し、スイッチ連動接続または連続的に電力供給される接続のいずれかを形成することができる。
【００３６】
次に図１２、図１３を参照すると、端末６６、６７、６８の各々は、側部が波形形状を有するように形成された延長部分を備えている。この波形の延長部分が、細長いハウジング６４に形成した開口部８０、８１、８２内部に嵌着し、接触端末の延長部分の端部が、ハウジング６４の開口部８０、８１、８２内に収容されたワイヤと接する。図１３に示すように、波形の各延長部の内に設置したばねの張力が、延長部の端部を各ワイヤ上へ押下することにより、堅固な接続が得られる。
【００３７】
次に図１４、図１５を参照すると、接地端末６５は、接地ワイヤ６３と接触するべく端末６５の主要本体の下へと延長する延長部８３を具備している。
【００３８】
本発明による回路のこの実施形態のレセプタクルと配線システムによれば、レセプタクルを凹部６４に沿って移動し、凹部６４に沿った無限数の場所に配置できることで、使用者は、レセプタクル、そしてソケットの場所を柔軟に選択することが可能になる。本発明のこの形態により、図１に関連して上述した形態と比較して利点が得られる。図１のバスバー・システムは、レセプタクルを、バスバーに形成したスロット上のみにしか配置することができない。この別の実施形態では、レセプタクルを凹部６４上で滑動させると、単純に、接触端末６５〜６８がワイヤ６０〜６３上で滑動することができる。さらに、角周辺でワイヤ６０〜６３を単純に屈曲することが可能であるため、バスバー・システムを用いた場合の、角周辺における電気の連続性を継続させる問題が排除される。
【００３９】
図１６、１７に、スタンドアロン型回路を示す。この回路は、既存のスタンドアロン型ソケットからの交換に適している。ここでは、レセプタクル１０８は表面プレート（図示せず）と裏面プレート１０９を具備している。端末１０４、１０５、１０６、１０７（上述したものと類似）は、裏面プレート１０９の裏側に常駐している。端末は、プラグとの電気接続の形成を可能にするために、標準的な２〜３本のピンプラグのピンを受容できるスロット１１０、１１１、１１２、１１３、１１４を具備している。各端末は、ねじ１００、１０１、１０２、１０３を介して、収容された、または建物内の標準的な配線に、さらに端末またはヒューズボックスに接続されている。これらの端末は、図１１に関連して上述したものとほぼ同様であり、スイッチ連動ソケットと連続的に通電されたソケットの両方を提供する。
【産業上の利用可能性】
【００４０】
本発明によれば、コンセントの場所を変更する場合の工事や、電気・電子機器等から延長コードを長く延ばす必要がなくなる。そのため、部屋の外観の乱雑性が減少し、延長コードにつまずいたり、損傷する可能性が低減される。さらに、新たなレセプタクルの追加も全く同様の容易さで達成できる。
【図面の簡単な説明】
【００４１】
【図１】本発明の回路を示しており、ここで、ソケットを具備したレセプタクルが電力バスバー・システムとバスバー・ハウジングに装着されており、ソケットが、電気機器または負荷装置に接続したプラグを受容する。
【図２】本発明による回路のバスバーの正面図であり、バスバー終端を示している。
【図３】回路のバスバーの別の正面図であり、特に、バスバーと、電気プラグのピンが内部に嵌着するスロットの形状を示している。
【図４】本発明によるバスバー、バスバー・ハウジング、レセプタクルの側面図である。
【図４Ａ】図４の詳細Ａの接近図であり、バスバー・ハウジング、レセプタクルの裏面プレート、表面プレート間の相互接続を示す。
【図４Ｂ】本発明によるバスバー・カバーの設置または取り外しを示す図である。
【図５】バスバーを絶縁するために、本発明の回路と共に使用するバスバー絶縁体の端面図である。
【図５Ａ】バスバー絶縁体の斜視図である。
【図５Ｂ】バスバーを設置したバスバー絶縁体の斜視図である。
【図６】本発明による回路の展開図であり、コンセントの各構成部品と、各構成部品どうしがが如何に相互接続するかを示す。
【図７】完全に組み立てた状態の本発明による回路の図である。
【図７Ａ】図７に示した回路の詳細Ｂの接近図である。
【図８】ニュージーランド電力システムに適した別形態のバスバーとレセプタクルを示す。
【図９】図８に示した別形態のバスバーとレセプタクルの平面図である。
【図１０】本発明による回路の第１形態のバスバー内に嵌着した２個の電気機器プラグを示す。
【図１１】本発明による回路の別の実施形態の展開図であり、ここで、複数本のワイヤがレセプタクルに接続した端末に電力を供給するが、このレセプタクルは、スイッチ連動電力ソケットと、連続的に電力供給される電力ソケットの両方を提供する。
【図１２】図１１の別の実施形態を示す側面図である。
【図１３】図１２に示した詳細Ｃの接近図である。
【図１４】図１１に示した回路のさらなる側面図であり、通電ワイヤと接地ワイヤをそれぞれ対応する接触部に対して接続した状態を示す。
【図１５】図１４に示した詳細Ｄの接近図である。
【図１６】本発明による回路のスタンドアロン型の実施形態を示す平面図である。
【図１７】図１６に示したスタンドアロン型回路の後面透視図である。
【符号の説明】
【００４２】
２  バスバー・ハウジング
３  凹部
４、５、６  導電性接触片
７  バスバー絶縁体
８、９  接地片
１０  表面プレート
１１  裏面プレート
１２、１３  相補的に形成された開口部
１４  スロット
１５、１６  標準的な２ピンまたは３ピンの電気機器プラグ
１７  スイッチ
１８  電流制限装置
１９  第１ピン
２０  第３ピン
２１  第２ピン
２２  接地スロット
２３  第１（上方）ピン
２４  第２（下方）ピン
２５  バスバー・システム
２６  中空の突起部
２７  ねじ
２８  上方面
２９  下方面
３０  カバー
３１  相補的な突起部
３２  切欠部
３３  バスバー
３４  ソケット
３５  バスシステム
３６  中央バスバー
３７、３８  接地バス
３９  上方バスバー
４０  下方バスバー
４１  中立バスバー
４２  スロット
４３  中空チャネル
４４  連続したオープン・スロット
４５  増分的に離間した開口部
４６  離間した穴
４７  裏面プレート位置決め穴
４８  バスバーの中央部分
４９、５０  バスバーの側部
５１、５２  突起部
６０  スイッチ連動ワイヤ
６１  中立ワイヤ
６２  連続通電ワイヤ
６３  接地ワイヤ
６４  細長形状の凹部
６５  接地端末
６６  スイッチ連動端末
６７  中立端末
６８  連続通電端末
６９  裏面プレート
７０  表面プレート
７２  開口部
７３  プラグ
７４、７５  受容手段またはスロット
７６  突起部
７７、７８  細いピン
７９  太いピン
８０、８１、８２  開口部
８３  延長部
１００、１０１、１０２、１０３  ねじ
１０４、１０５、１０６、１０７  端末
１０８  レセプタクル
１０９  裏面プレート
１１０、１１１、１１２、１１３、１１４  スロット
【図１】
2005522007.tif 000003
【図２】
2005522007.tif 000004
【図３】
2005522007.tif 000005
【図４】
2005522007.tif 000006
【図４Ａ】
2005522007.tif 000007
【図４Ｂ】
2005522007.tif 000008
【図５】
2005522007.tif 000009
【図５Ａ】
2005522007.tif 000010
【図５Ｂ】
2005522007.tif 000011
【図６】
2005522007.tif 000012
【図７】
2005522007.tif 000013
【図７Ａ】
2005522007.tif 000014
【図８】
2005522007.tif 000015
【図９】
2005522007.tif 000016
【図１０】
2005522007.tif 000017
【図１１】
2005522007.tif 000018
【図１２】
2005522007.tif 000019
【図１３】
2005522007.tif 000020
【図１４】
2005522007.tif 000021
【図１５】
2005522007.tif 000022
【図１６】
2005522007.tif 000023
【図１７】
2005522007.tif 000024
【国際調査報告】
2005522007.tif 000025